(57)【要約】【課題】円筒型カットアウトの頂部から引き出して引下線に接続する引出線を、作業者によることなく、安定した形態で接続することができるようにして、その作業自体の作業性をも軽減することのできる円筒型カットアウト用補助部材を提供すること。【解決手段】円筒型カットアウト１００の本体部１０１内のヒューズ筒に導通するとともに外部に引き出されて送電線からの引下線に接続される引出線Ｄ１を補助する補助部材１０であって、前記円筒型カットアウトの前記本体部に装着する装着部１１と、前記円筒型カットアウトの前記本体部での引出位置から前記引下線との接続位置までの前記引出線の引出経路を一定にするように該引出線を案内する案内部２１と、を備える。【選択図】図１
2012029505.tif 000002
【特許請求の範囲】
【請求項１】
円筒型カットアウトの本体部内のヒューズ筒に導通するとともに外部に引き出されて送電線からの引下線に接続される引出線を補助する補助部材であって、
前記円筒型カットアウトの前記本体部に装着する装着部と、前記円筒型カットアウトの前記本体部での引出位置から前記引下線との接続位置までの前記引出線の引出経路を一定にするように該引出線を案内する案内部と、を備えることを特徴とする円筒型カットアウト用補助部材。
【請求項２】
前記装着部は、前記円筒型カットアウトの前記引出線の前記引出位置を覆うキャップ形状に形成されているとともに、
前記案内部は、前記装着部と一体成形されて前記引出位置に対応する位置から前記引出経路に一致するように延長されており、
前記案内部は、前記引出線の外周面の全体を覆う状態で該引出線を内部に挿通して貫通可能な挿通経路、あるいは、前記引出線の外周面の半周以上を覆う状態に該引出線を開口側から嵌め込み可能な溝形状に形成されている嵌込経路を有することを特徴とする請求項１に記載の円筒型カットアウト用補助部材。
【発明の詳細な説明】
【技術分野】
【０００１】
本発明は、円筒型カットアウト用補助部材に関し、詳しくは、送電線からの引下線に円筒型カットアウトを安定した形態で接続できるようにするものに関する。
【背景技術】
【０００２】
電柱などの高所には、商用電源から各家庭の負荷装置に電力供給するために、変圧器が設置されているとともに、負荷装置側に異常電流が流れ込まないように、ヒューズを内蔵するカットアウトが介在するように設置されている。
【０００３】
この種のカットアウトとしては、全体を概略円筒型に形成されているものがあり、円筒型の頂部（上部）からヒューズ筒に導通接続させている引出線を送電線側からの引下線に接続して設置するようになっている（例えば、特許文献１）。
【０００４】
この円筒型カットアウトの頂部から引き出す引出線は、撚り線からなることから負荷により簡単に屈曲して、最悪の場合には断線などしてしまう可能性があることから、その引出線の引出箇所を補強するように頂部に補強部材（補助部材）を取り付けることが提案されている（例えば、特許文献２）。
【０００５】
なお、円筒型カットアウトを送電線からの引下線に接続する場合には、その引下線には高圧電流が流れることになり、接続する引出線の引出箇所に漏れ電流が生じることによるトラッキングが発生して電線が損傷してしまう場合があることから、その引出箇所にキャップ形状のカバー（補助部材）を取り付けることが提案されている（例えば、特許文献３）。
【先行技術文献】
【特許文献】
【０００６】
【特許文献１】特開２００３−３０３５３７号公報
【特許文献２】特開平１１−３４５５５８号公報
【特許文献３】特開２００２−１４２３４１号公報
【発明の概要】
【発明が解決しようとする課題】
【０００７】
しかしながら、このような特許文献２、３に記載の円筒型カットアウト用補助部材にあっては、単に本体部の頂部に取り付けるだけのものであることから、その頂部から引き出されている引出線は作業者毎に作業し易いやり方で引下線に接続されている。
【０００８】
このため、円筒型カットアウトの引出線は、作業者によって送電線側から引下線までの長さ・形状が異なっており、撚り線であるために負荷により簡単に屈曲することから、例えば、重量のある鳥が止まるなどした場合には、腕金などと接触して短絡事故を発生させてしまう可能性がある。
【０００９】
そこで、本発明は、円筒型カットアウトの頂部から引き出して引下線に接続する引出線を、作業者によることなく、安定した形態で接続することできるようにして、その作業自体の作業性をも軽減することのできる円筒型カットアウト用補助部材を提供することを目的とする。
【課題を解決するための手段】
【００１０】
上記課題を解決する円筒型カットアウト用補助部材の発明は、円筒型カットアウトの本体部内のヒューズ筒に導通するとともに外部に引き出されて送電線からの引下線に接続される引出線を補助する補助部材であって、前記円筒型カットアウトの前記本体部に装着する装着部と、前記円筒型カットアウトの前記本体部での引出位置から前記引下線との接続位置までの前記引出線の引出経路を一定にするように該引出線を案内する案内部と、を備えることを特徴とするものである。
【００１１】
この発明では、円筒型カットアウトに装着して本体部から引き出される引出線を案内部に固定などすることにより、その引出線を一定の引出経路に一致する形状にして案内することができる。したがって、円筒型カットアウトの設置位置から引下線の引き下げ位置まで、作業者により異なる形状（経路）になることなく、撚り線の引出線を安定した一定形状にすることができる。
【発明の効果】
【００１２】
このように本発明によれば、円筒型カットアウトの本体部から引き出される引出線を一定の引出経路に案内して引下線に接続することができ、作業者による接続品質に差が生じることなく、また、撚り線であるために屈曲し易い引出線を一定の形状にして接続することができる。したがって、円筒型カットアウトの引出箇所から引下線との接続箇所までの間で引出線が作業し難いほど短くなることなく、また、その引出線が無駄に長くなって重量のある鳥などが止まったために屈曲して腕金などと接触することにより短絡事故になってしまうことを未然に防止することができる。
【図面の簡単な説明】
【００１３】
【図１】本発明に係る円筒型カットアウト用補助部材の一実施形態を示す図であり、その全体構成を示す正面図である。
【図２】その補助具を取り付ける円筒型カットアウトを示す断面正面図である。
【図３】その他の態様を示す図である。
【発明を実施するための形態】
【００１４】
本発明の実施形態としては、上記の課題解決手段のように、円筒型カットアウトの本体部内のヒューズ筒に導通するとともに外部に引き出されて送電線からの引下線に接続される引出線を補助する補助部材であって、前記円筒型カットアウトの前記本体部に装着する装着部と、前記円筒型カットアウトの前記本体部での引出位置から前記引下線との接続位置までの前記引出線の引出経路を一定にするように該引出線を案内する案内部と、を備えることを基本構成とするのに加えて、次の構成を備えてもよい。
【００１５】
第１の形態としては、前記装着部は、前記円筒型カットアウトの前記引出線の前記引出位置を覆うキャップ形状に形成されているとともに、前記案内部は、前記装着部と一体成形されて前記引出位置に対応する位置から前記引出経路に一致するように延長されており、前記案内部は、前記引出線の外周面の全体を覆う状態で該引出線を内部に挿通して貫通可能な挿通経路、あるいは、前記引出線の外周面の半周以上を覆う状態に該引出線を開口側から嵌め込み可能な溝形状に形成されている嵌込経路を有するようにしてもよい。
【００１６】
この形態では、円筒型カットアウトの引出線の引出位置に装着部をキャップとして容易に装着することができ、その引出位置から引き出されている引出線を、装着部に一体成形されている案内部の挿通経路に貫通させることにより、あるいは、案内部の嵌込経路に嵌め込むことにより、引下線との接続位置までの引出経路に案内することができる。したがって、円筒型カットアウトの引出線をテープ巻きするなどの固定作業をすることなく、容易に引出線を安定した一定形状にすることができる。
【００１７】
第２の形態としては、前記装着部は、前記円筒型カットアウトと前記引出線の延在方向（軸方向）に一致するスリットが形成されていてもよい。
【００１８】
この形態では、スリットを拡開することにより、新設する場合に限らず、既設のものでも停電することなく、キャップ形状の装着部を後付けで円筒型カットアウトに装着して引出線を案内させることができる。
【００１９】
第３の形態としては、前記案内部は、前記引出線の全周または半周以上を覆う断面形状に形成するだけでなく、前記引出線を隣接させる棒状に形成してテープ巻きにより固定可能にしてもよい。
【００２０】
第４の形態としては、前記案内部は、前記引出線を前記引下線との接続位置に案内するだけでなく、鳥類などが止まることによる自重以外の想定外の重量の負荷が加えられた場合でも屈曲などしない程度以上の強度を備えるように作製してもよい。
【００２１】
以下、図面を参照して、本発明の実施形態について詳細に説明する。図１および図２は本発明に係る円筒型カットアウト用補助部材の一実施形態を示す図である。
【００２２】
図１において、補助部材１０は、図２に示す円筒型カットアウト１００に装着して補助するものであり、その円筒型カットアウト１００の本体部１０１上部に装着する装着部１１と、その本体部１０１上部から引き出されている引出線Ｄ１の引出経路が一定になるように案内する案内部２１と、が一体成形されている。
【００２３】
ここで、円筒型カットアウト１００は、図２に示すように、円筒型の本体部１０１の底部の開放端に蓋体１０２を嵌め込んで閉じる構造に設計されており、商用電源側の送電線から分岐させた不図示の引下線に導通接続させる引出線（撚り電線）Ｄ１を本体部１０１頂部（引出位置）から引き出す電源接続部１０３と、負荷装置側の変圧器からの不図示の接続電線に導通接続させる引出線（撚り電線）Ｄ２を本体部１０１下部側面から引き出す負荷接続部１０４と、を備えている。
【００２４】
この円筒型カットアウト１００は、頭部には導通キャップ１０５が取り付けられて基端部には導通肩部１０６が形成されているヒューズ筒１０７を、蓋体１０２を外して本体部１０１内に差し込みセットするようになっており、電源接続部１０３（引出線Ｄ１）に導通する差込端子１０３ａに導通キャップ１０５を嵌め込んで導通接続させるとともに、負荷接続部１０４（引出線Ｄ２）に導通する受端子１０４ａに導通肩部１０６を圧接させて導通接続させることにより、ヒューズ筒１０７内の不図示のヒューズを介して送電線側の電源接続部１０３と変圧器側の負荷接続部１０４とが導通するようになっている。
【００２５】
図１に戻って、装着部１１は、円筒型カットアウト１００の本体部１０１の上部を覆うキャップ形状に絶縁性を有する硬質の樹脂材料により成形されており、外面１１ａが本体部１０１の最外径を連続させた形状に相似する一方、内面１１ｂがその本体部１０１の外面形状に一致する形状に形成されている。この装着部１１は、縦方向に２分割して装着可能にするとともに、装着後には、本体部１０１から抜ける方向に移動して離脱することを制限することができるようになっている。
【００２６】
また、装着部１１は、縦方向（引出線Ｄ１の延長方向）に２分割する割りの一方側が、例えば、ヒンジとして機能するように、円筒部分１２の図面の背面側の外面１１ａを連結部として形成されることにより、割りの他方側の図面の前面側を開閉可能なスリット１４にすることができる。この装着部１１は、その前面側スリット１４の隣接箇所の一方に、係合穴１５ａの開口する板形状のロック片１５を一体形成するとともに、その他方にはロック片１５の係合穴１５ａに離脱不能に係合させることのできるように頭部が大径に形成されている断面矢印形状のロック突起１６が一体形成されている。
【００２７】
これにより、装着部１１は、スリット１４を拡開させて内部に円筒型カットアウト１００の本体部１０１上部を収納した後に、そのスリット１４を閉じてロック片１５の係合穴１５ａ内にロック突起１６を差し込んで係合させることにより外れないように装着することができ、後付でも装着することができる。なお、本実施形態では、ロック片１５とロック突起１６を一体形成して装着状態を維持できるようにする一例を説明するが、これに限るものではなく、単にテープ巻きして固定するようにしてもよく、また、装着部１１をある程度弾性変形する樹脂材料により作製して、弾性変形させて内部に収納した後に、その弾性復帰力で装着状態を維持するようにしてもよい。
【００２８】
案内部２１は、送電線から分岐させた不図示の引下線に、円筒型カットアウト１００の本体部１０１頂部から引き出して導通接続させる接続位置までの引出線Ｄ１の引出経路が安定して所望の形状になるように、例えば、作業者がその接続作業を容易に行うことができ、また、邪魔にならない経路に一致するように、装着部１１に一体成形されている。この案内部２１は、例えば、円筒型カットアウト１００の引出位置から引下線との接続位置までの間で湾曲する引出経路となるように、その経路に沿って湾曲して引出線Ｄ１に隣接する棒状の延長形状に成形されており、装着部１１の円筒部分１２上側に連続する円錐部分１３頂部の引出線Ｄ１を引出可能に開口する引出口１３ａの縁に一体成形されている。
【００２９】
これにより、案内部２１は、装着部１１を装着した円筒型カットアウト１００の本体部１０１頂部から引き出されている引出線Ｄ１と共にテープＴを巻き付けて固定することにより、作業者によって異なる引出経路になってしまうことがなく、無駄でない必要十分な作業空間で安定して接続作業を容易にすることができるとともに、邪魔になることもない経路に引出線Ｄ１を案内することができ、また、引出線Ｄ１にテープ巻きして補強することにより鳥などが止まっても腕金などに接触することを制限することができる。なお、この案内部２１は、最初から想定内の重量の鳥などが止まってもその負荷で屈曲などしてしまわない程度以上の強度になるようにしてもよい。
【００３０】
また、装着部１１は、円筒部分１２上側の円錐部分１３上部に、フランジ形状に形成されて外方に延長されている補強円盤部１７が一体成形されており、引出線Ｄ１を引き出す引出口１３ａの開口する、円錐部分１３頂部が変形しないように補強する形状に形成されている。
【００３１】
このように本実施形態においては、円筒型カットアウト１００の本体部１０１から引き出される引出線Ｄ１を作業するのに最適で事故の起こらない引出経路に案内して接続作業を容易にすることができ、作業者によって引出経路が異なるなどの接続品質に差が出てしまうことをなくすことができる。したがって、引出線Ｄ１が短すぎて接続作業が思いの外難しくなってしまったり、あるいは、撚り線であるために屈曲し易い引出線Ｄ１が無駄に長くなって重量のある鳥などが止まったために腕金などと接触して短絡事故を発生させてしまう恐れを少なくすることができる。
【００３２】
本実施形態の他の態様としては、上述実施形態では、単なる棒状の案内部２１としてテープ巻きすることにより引出線Ｄ１を案内固定するようにしていたが、例えば、図３（ａ）に示すように、その案内部２１は、引出線Ｄ１の外周面の半周以上を覆う断面形状に形成してその引出線Ｄ１を嵌込可能な案内溝（嵌込経路）２１ａを備えるようにしてもよく、この場合には、その案内溝２１ａの開口側から引出線Ｄ１を押し込むようにして嵌め込むことによりテープ巻きすることなく案内固定することができる。
【００３３】
また、例えば、装着部１１を分割されていないキャップ形状に形成して設置前の円筒型カットアウト１００の本体部１０１上部に被せて装着するタイプに作製する場合には、図３（ｂ）に示すように、案内部２１は、引出線Ｄ１の外周面の全周を覆うチューブ形状に形成してその引出線Ｄ１を挿通可能な案内穴（挿通経路）２１ｂを備えるようにしてもよく、この場合には、その装着時に案内穴２１ｂ内に引出線Ｄ１を挿通させて貫通させることによりテープ巻きすることなく案内固定することができる。
【産業上の利用可能性】
【００３４】
これまで本発明の一実施形態について説明したが、本発明は上述の実施形態に限定されず、その技術的思想の範囲内において種々異なる形態にて実施されてよいことは言うまでもない。
【符号の説明】
【００３５】
１０……補助部材      １１……装着部      １４……スリット      １５……ロック片      １５ａ……係合穴      １６……ロック突起      １７……補強円盤部      ２１……案内部      ２１ａ……案内溝      ２１ｂ……案内穴      １００……円筒型カットアウト      １０１……本体部      １０３……電源接続部      １０４……負荷接続部      １０７……ヒューズ筒      Ｄ１、Ｄ２……引出線      Ｔ……テープ
【図１】
2012029505.tif 000003
【図２】
2012029505.tif 000004
【図３】
2012029505.tif 000005